(57)【特許請求の範囲】
【請求項１】
筒型のフィルターカートリッジを縦に挿入して使用する上端が開口した容器本体と、該容器本体の蓋として機能する、被処理液の導入及び排出のための二個の流路を備えたヘッドを有し、前記容器本体と前記ヘッドが、前記ヘッドの周囲表面に回動可能な状態で載置して使用するリング状部材を介して、一対のトグルクランプにより密閉されるものであり、
前記トグルクランプの支持部が、前記容器本体の上方外側面対角線上に位置し、該支持部に、フックとハンドルレバーが上下に位置するように垂直に取付けられており、前記リング状部材の側面に前記フックを係止するためのフック受けが設けられていること、
前記容器本体と前記ヘッドを同心的に確実に位置決めするためのガイド手段として、前記リング状部材の外周部、前記一対のトグルクランプの中間位置に、下方に垂直に伸びる棒体が設けられ、前記容器本体の外周上方に前記棒体の受け具が設けられていること
前記ヘッドに設けられた前記流路の一方の下端が前記ヘッドの中心下方に管状に突出しており、該突出部が前記フィルターカートリッジの上端開口に嵌合するようになっており、かつ前記突出部の周囲に位置する鍔状部分で前記フィルターカートリッジの上方端面を支持するようになっていること、
前記ヘッドに設けられた前記流路の他方の下端は、前記ヘッドの内部上方に開口していること、
前記容器本体の内部下端には、上下に伸縮するバネを下方中心部に有するキャップ状のシール部材を設け、前記シール部材の中央の上方突出部が前記フィルターカートリッジの下端開口に嵌合し、前記シール部材の鍔状部分が前記フィルターカートリッジの下端を支持するようになっていることを特徴とするフィルターハウジング。
【請求項２】
前記ヘッドの頭部中央に、被処理液の導入口と排出口が一直線上に位置するように、上記流路を覆う半円柱状突起が設けられていることを特徴とする請求項１のフィルターハウジング。
【請求項３】
上記シール部材の上面中央部に、前記シール部材を前記容器本体の内部下端に設置するための操作棒が取り付けられていることを特徴とする請求項１又は２のフィルターハウジング。
【発明の詳細な説明】
【技術分野】
【０００１】
本発明は、フィルターカートリッジを常に安定して確実に装着でき、しかも複雑なラインにも簡単に取り付け可能なフィルターハウジングに関する。
【背景技術】
【０００２】
近年、種々の化学工業、水処理工業、塗装工業などのラインにおいて、ラインを流れる流体を迅速に濾過するために、その流路にフィルター装置を取付けて使用されることが多くなってきている。そこで、フィルターカートリッジを内部に装着し、被処理液をフィルターカートリッジに通して、不純物を濾過する、フィルター装置すなわちフィルターハウジングの開発も多々認められる。
【０００３】
しかし、コンパクトで、複雑なラインなどの途中において、操作性よく、取り扱うできる装置は存在せず、どのような場所でも、簡単かつ確実にフィルターカートリッジの装着が可能で、しかも、装置内部の清掃も容易である装置の開発が求められている。
【０００４】
そこで、例えば、特許文献１には、センターシャフトを使用しなくてもフィルターカートリッジを装着できるフィルターハウジングが開示されるが、この装置は、容器本体内部でフィルターカートリッジをガイド部材（ハウジングの内周面に設けられたリング状の凸条２２）で挟持する必要があり、フィルターカートリッジ表面を全面的に効果的に活用できず、また、容器内部の液の流れもガイド部材の存在によって害されることとなる。
また、容器本体の上端とヘッド及び容器本体の下端と底部材はそれぞれクランプ９で連結されるものであり、容器本体へのフィルターカートリッジの装着及び容器本体とヘッドや底部材を密閉性よく組み立てるには、手数のかかる操作性の悪いものであった。
【特許文献１】特開２００５−１６９２１７号公報
【発明の開示】
【発明が解決しようとする課題】
【０００５】
本発明は、容器本体内部に、センターシャフトやフィルターカートリッジを挟持するための特別な手段を設けることなく、直接フィルターカートリッジを簡単に安定して装着でき、容器本体内部には何も障害物のない清掃なども容易なフィルターハウジングを提供すること、特に、複雑なラインの途中でも、操作性よく、取り付け可能なフィルターハウジングを提供することを課題とする。
【課題を解決するための手段】
【０００６】
本発明では、筒型のフィルターカートリッジを縦に挿入して使用する上端が開口した容器本体と、該容器本体の蓋として機能する、被処理液の導入及び排出のための二個の流路を備えたヘッドを有するフィルターハウジングにおいて、容器本体とヘッドが、ヘッドの周囲表面に回動可能な状態で載置して使用するリング状部材を介して、一対のトグルクランプにより密閉可能とし、更に、容器本体とリング状部材の間に、容器本体とヘッドを同心的に確実に位置決めするためのガイド手段を設けることによって、上記課題を解決した。
【０００７】
前記トグルクランプは、支持部を前記容器本体の上方外側面対角線上に設け、該支持部に、フックとハンドルレバーが上下に位置するように垂直に取付け、リング状部材の側面に前記フックを係止するためのフック受けを設ける。
【０００８】
更に、容器本体とリング状部材の間に設けるガイド手段としては、リング状部材の外周部、前記対をなすトグルクランプの中間位置に、下方に垂直に伸びる棒体を設け、容器本体の外周上方に前記棒体の受け具、例えば、前記棒体を挿入する孔部を設ける。
【０００９】
また、ヘッドに設けられた流路の一方の下端は、ヘッドの中心下方に管状に突出しており、この突出部が容器本外内部に装着するフィルターカートリッジの上端開口に嵌合するようになっており、かつ前記突出部の周囲に位置する鍔状部分でフィルターカートリッジの上方端面を支持するようにし、容器本体の内部下端には、上下に伸縮するバネを下方中心部に有するキャップ状のシール部材を設け、シール部材の中央の上方突出部がフィルターカートリッジの下端開口に嵌合し、シール部材の鍔状部分でフィルターカートリッジの下端を支持するようになっている。
【００１０】
なお、ヘッドに設けられた流路の他方の下端は、ヘッドの内部上方に開口している。従って、例えば、この流路から容器内部に導入された液は、フィルターカートリッジを通って濾過され、フィルターカートリッジの上端開口部から、そこに嵌合された他方の流路を通り、外部に効率よく、排出されることとなる。この際、フィルターカートリッジの上下端部は、ヘッドの中心下方に伸びた管状部の周囲に位置する鍔状部分及びバネを装着した下端のキャップ状シール部材の鍔状部分でシールされるため、フィルターカートリッジの外部と内部の液は、リークすることなく、被処理液は確実に効率よく濾過されることとなる。
【００１１】
上記流路は、ヘッドの頭部中央に、被処理液の導入口と排出口が一直線上に位置するようにして、半円柱状突起で覆われるようにするのが好ましく、上記導入口及び排出口には、被処理液の導入又は排出管と連結し易いように、ネジ溝を設けられるのが好ましい。
【００１２】
かかる本発明の装置の最大の特徴は、上記トグルクランプとガイド手段を設け、容器本体とヘッドを整合性よく確実に一気に密閉可能としたことであるが、更にトグルクランプやガイド手段が容器本体とヘッド上に載置されるリング状部材に設けられており、ヘッドはリング状部材（及び容器本体）に対して回動可能となっているため、ヘッドの被処理液導入口と排出口を定位置に保った状態で、トグルクランプの締め付け位置を任意に選択し、操作性のよい位置で、トグルクランプを操作し、確実に容器本体にヘッドを密閉固定することが可能となるのである。
【発明の効果】
【００１３】
フィルターカートリッジは、ヘッドの中心下方に突出した管状部と容器本体の内部下端に設けられたバネで上下動可能とされたシール部材で、容器本体内部の中心部に確実に位置づけられ、トグルクランプとガイド手段により、定位置に密閉性よく固定される。
更に、容器本体とヘッドは、容器本体とリング状部材の間に設けられたガイド手段により、確実に同心的に位置づけることができ、トグルクランプの操作も、軸がずれることなく、容易に実施可能となる。
また、リング状部材と容器本体をトグルクランプで締め付けてヘッドを容器本体に密着性よく固定するに当たって、リング状部材や容器本体に対して回動可能であるヘッドは、リング状部材と容器本体の間で自由に回転させ、所望の位置で、固定可能である。従って、トグルクランプの位置に関係なく、ヘッドに設けた被処理液の導入口や排出口の位置決めができることとなり、どのような設置場所でも、操作性よく、フィルターハウジングの確実な設置が可能となる。
【発明を実施するための最良の形態】
【００１４】
次に図面に示す一例に基づいて本発明の説明をするが、本発明がこれによって限定されるものではない。
図１及び図２の装置は、容器本体１とヘッド２とヘッド２の周囲表面に取付けて使用するリング状部材３からなるもので、容器本体１とリング状部材３の間に、トグルクランプ４とガイド手段５が設けられており、これらにより、ヘッド２を容器本体１に、整合性よく、簡単に、固定できるものである。
【００１５】
ヘッド２の頭部中央には、被処理液の導入口１３と排出口１４（図示していないが、内部に被処理液の導入管や排出管を連結するためのネジ溝が形成されている）が一直線上に位置するように、それらの流路を覆うカマボコ状突起が存在するが、リング状部材３はヘッド２の外周表面に回動可能な状態で載置して使用できるため、ガイド手段５で、容器本体１とリング状部材３を定位置に設定した後、ヘッド２を回転させて、被処理液の導入口１３と排出口１４を所望の位置に設定し、トグルクランプ４を扱い易い状態で操作し、ヘッド２を容器本体１に密閉固定できるのである。
【００１６】
なお、トグルクランプ４は、容器本体１の上方外側面対角線上に設けた支持部９に、フック７とハンドルレバー１０を上下に位置するように垂直に取付け、リング状部材３の側面にフック７を係止するためのフック受け８を設けたものであり、フック７はボルト状に形成されており、フック受け８は、ボルト状フック７の脚部１６の挿入が可能なスリット１５を有し、その内側は、ボルト状フック７の頭部１７を整合性よく収納できるように頭部１７の外形に応じた開口１８が形成されている。
【００１７】
トグルクランプ４は、ハンドルレバー１０が容器本体１に設けられた支持部９を支点として開閉できるように取付けられており、ハンドルレバー１０の中央部にボルト状フック７の下端が、フック７を前後動可能な状態で支持されているものであり、ハンドルレバー１０を開いた状態で、フック７の脚部１６を、ヘッド２に被せたリング状部材３のフック受け８のスリット１５に挿入し、ハンドルレバー１０を閉じることで、フック受け８の開口１８にフック７の頭部１７が収まり、容器本体１とヘッド２は密閉性よく、固定されるのである。なお、図示していないが、容器本体１の口部上端、ヘッド２の周囲底面と接する箇所には、封止用のパッキンが設けられている。
【００１８】
容器本体１の内部には、ヘッド２に設けられた流路の一方の下端が前記ヘッド２の中心下方に管状に突出しており、この突出部１９が前記フィルターカートリッジ６の上端開口に嵌合するようになっており、かつ突出部１９の周囲に位置する鍔状部分２０で前記フィルターカートリッジ６の上方端面を支持するようになっている。図２の例では、トグルクランプ４で容器本体１にヘッド２を密閉固定した時に、鍔状部分２０の外周下方に突出した突起２４がフィルターカートリッジ６の上方端部に食込むようになっている。
【００１９】
更に、容器本体１の内部下端には、上下に伸縮するバネ２１を下方中心部に有するキャップ状のシール部材２２が存在し、このシール部材２２の中央の上方突出部２３がフィルターカートリッジ６の下端開口に嵌合し、シール部材２２の鍔状部分２３がフィルターカートリッジ６の下端を支持するようになっている。図２の例では、鍔状部分２３は周囲に上方に突出した突起２４を有しており、該突起２４がフィルターカートリッジ６の下面に食込むようになっている。
【００２０】
このように、容器本体１の内部で、ヘッド２の中央部下方に突出した管状突出部１９と底面に位置するバネ２１で支持されたシール部材２２により、フィルターカートリッジ６は、中心位置に保持され、しかも、トグルクランプ４とガイド手段５で、外部からヘッド２は容器本体１に、整合性よく、密閉固定されるので、本発明の装置では、フィルターカートリッジ６の装着が非常に整合性よく、簡単になされることとなる。
【００２１】
また、ガイド手段５の存在で、トグルクランプ４は片締めされることなく、対向するハンドルレバー１０を同時に確実に閉じ、ヘッド２を容器本体１に密閉固定できる。
【００２２】
ヘッド２に設けられた被処理液導入及び排出のための流路は、被処理液の導入口１３と排出口１４が一直線上に位置し、導入口１３に続く流路はヘッド２の内部上方で液を容器本体1内部に放出するようにヘッド２の内部上方で開口しており、排出口１４に続く流路は、ヘッド２の中央下方に突出した管状突出部１９内部に連なっており、フィルターカートリッジ６の中心部の方から、この管状突出部１９を通って、排出口１４から外部に濾過された被処理液が排出されるようになっている。
なお、被処理液の種類や使用するフィルターカートリッジ６の種類によっては、使用目的に応じて、上記導入口１３と排出口１4が逆に使用されてもよい。
【００２３】
シール部材２２とバネ２１は、容器本体１に着脱可能とされるのが好ましく、容器本体１が比較的浅い、シール部材２２とバネ２１を直接手を入れて装着できる場合は、シール部材２２はキャップ状のまま使用されてよいが、容器本体１が深い場合には、図２の例の如く、操作棒２５を取り付け、この操作棒２５で容器本体１の底面にセットできるようにしてもよい。
【００２４】
なお、シール部材２２とバネ２１は着脱可能とされても、固定されてもよい。また、容器本体１の底面には、バネ２１の下部を挿入し、定位置にセットするための環状部材２６を設けるのが好ましく、図１の例では、容器本体１の底面下方に突出した管状部がその役割をするが、図２の例では、容器本体１の底面に環状部材２６を取付けている。
【００２５】
更に、これらの例では、容器本体１の底面には、処理後の液抜きのためのドレンとして機能する口部が存在し、ヘッド２の頂部には、ゲージの取り付けなどを可能とする孔部を設けている。
なお、本発明のフィルターハウジングは、種々の化学工業、水処理工業、塗装工業などのラインに使用でき、どのような向きに設置してもよい。通常はヘッド２を上にして使用するが、必要に応じて、ヘッド２を横にしたり、斜めにして使用してもよい。
【図面の簡単な説明】
【００２６】
【図１】本発明の一例を示すもので、Ａは平面図、Ｂは正面図、Ｃは側面図である。
【図２】本発明の他の一例におけるヘッドを開放した状態を示す断面図である。
【符号の説明】
【００２７】
１    容器本体
２    ヘッド
３    リング状部材
４    トグルクランプ
５    ガイド手段
６    フィルターカートリッジ  
７    フック
８    フック受け
９    支持部
１０  ハンドルレバー
１１  棒体
１２  受け部材
１３  導入口
１４  排出口
１５  スリット
１６  脚部
１７  頭部
１８  開口
１９  突出部
２０  鍔状部分
２１  バネ
２２  シール部材
２３  鍔状部分
２４  突起
２５  操作棒
２６  環状部材
【図１】
0004836277.tif 000002
【図２】
0004836277.tif 000003